(57)【要約】【課題】アップロードしたユーザを特定することが可能なサーバ装置およびコンテンツの転送方法を提供する。【解決手段】サーバ２は、コンテンツにアップロード端末３のアップロードユーザ情報を埋め込む。ダウンロード端末４がサーバ２からコンテンツのダウンロードを要求すると、サーバ２は、コンテンツにアップロードユーザ情報とダウンロード端末４のダウンロードユーザ情報を埋め込んだダウンロードファイルをダウンロード端末４に送信する。このようにダウンロードファイルには、アップロードユーザ情報が埋め込まれているため、ダウンロードファイルに含まれるコンテンツをアップロードしたユーザを特定することが可能となる。これにより、不正行為の阻止を容易に行うことが可能となる。【選択図】  図１
2006236250.tif 000002
【特許請求の範囲】
【請求項１】
ネットワークを介してアップロードされたコンテンツを受信する受信手段と、
前記コンテンツのアップロード元に関するアップロードユーザ情報を取得するアップロードユーザ情報取得手段と、
前記アップロードユーザ情報を前記コンテンツに埋め込む埋め込み手段と、
前記アップロードユーザ情報が埋め込まれた前記コンテンツを格納する格納手段と
を備えることを特徴とするサーバ装置。
【請求項２】
前記アップロードユーザ情報が埋め込まれた前記コンテンツを、暗号化してダウンロード先に前記ネットワークを介して送信する送信手段と、
前記ダウンロード先において前記アップロードユーザ情報を表示可能な状態とする復号化鍵を発行する復号鍵発行手段と
をさらに備えることを特徴とする請求項１記載のサーバ装置。
【請求項３】
ネットワークを介してアップロードされたコンテンツを受信する受信ステップと、
前記コンテンツのアップロード元に関するアップロードユーザ情報を取得するアップロードユーザ情報取得ステップと、
前記アップロードユーザ情報を前記コンテンツに埋め込む埋め込みステップと、
前記アップロードユーザ情報が埋め込まれた前記コンテンツを格納する格納ステップと
を有することを特徴とするコンテンツの転送方法。
【発明の詳細な説明】
【技術分野】
【０００１】
本発明は、コンテンツの転送に用いるサーバ装置およびコンテンツの転送方法に関するものである。
【背景技術】
【０００２】
近年、インターネットやイントラネット等の通信ネットワークを介して、テキスト、画像、映像、音楽等のデジタルコンテンツ（以下、コンテンツという）のやりとりが簡単に行えるようになってきている。このようなコンテンツは、複製、編集、伝送などの操作が容易であり、また、これらの操作を行っても品質の劣化が起こらないという特徴を有している。このため、正当な権利を有さない第３者がコンテンツを不正に利用することが予想される。例えば、最近ではサーバにコンテンツをアップロードすることが手軽に行われているため、誰がアップロードしたコンテンツなのかわからないままコンテンツがサーバからダウンロードされ、このダウンロードしたコンテンツを別のサーバにアップロードしたりファイル交換ソフトウェアなどにより正当な権利を有さない第３者に配布する２次配布を行う恐れがある。
【０００３】
こうした状況の下、２次配布されたコンテンツの再生を防止する機能としてＤＲＭ(Digital Rights Management)技術が存在する（例えば、特許文献１，２参照。）。このＤＲＭ技術の代表的な方法として、コンテンツをダウンロードする際に、ダウンロードするユーザの端末装置の固有情報を用いてコンテンツを暗号化するものがある。この暗号化されたコンテンツを再生するには、復号化にダウンロードしたユーザの端末装置の固有情報が関連づけられた鍵（復号化鍵）が必要となるため、ダウンロードした端末装置のみしかコンテンツを再生することができなくなる。このようなＤＲＭ技術によれば、コンテンツの２次配布を防ぐことはできないまでも、２次配布されたコンテンツの再生を防ぐことは可能となるため、実質的にファイルの２次配布を防ぐことが可能となる。
【０００４】
なお、出願人は、本明細書に記載した先行技術文献情報で特定される先行技術文献以外には、本発明に関連する先行技術文献を出願時までに発見するには至らなかった。
【特許文献１】特表２００２−５３７７２０号公報
【特許文献２】特開２００１−２３６４０３号公報
【発明の開示】
【発明が解決しようとする課題】
【０００５】
しかしながら、上述した従来の方法では、コンテンツの２次配布を防ぐことはできるが、コンテンツをアップロードしたユーザを特定することは困難であった。このため、例えばコンテンツ自体に著作権の侵害や公序良俗に違反している等の不正行為がなされている場合、そのコンテンツをアップロードしたユーザを特定することができないため、不正行為を阻止することが困難である。もちろん、サーバの管理者は、アップロードのログを追跡することによって不正行為がされたコンテンツをアップロードしたユーザを特定することが可能ではあるが、いわゆるＢ２Ｃ(Business to Consumer)のようなアップロードを行うユーザが非常に多い場合には、逐一不正行為がなされたコンテンツとログとを調査することは現実的ではない。
【０００６】
そこで、本発明は上述したような課題を解決するためになされたものであり、コンテンツをアップロードしたユーザを特定することが可能なサーバ装置およびコンテンツの転送方法を提供することを目的とする。
【課題を解決するための手段】
【０００７】
上述したような課題を解決するために本発明にかかるサーバ装置は、ネットワークを介してアップロードされたコンテンツを受信する受信手段と、コンテンツのアップロード元に関するアップロードユーザ情報を取得するアップロードユーザ情報取得手段と、アップロードユーザ情報をコンテンツに埋め込む埋め込み手段と、アップロードユーザ情報が埋め込まれたコンテンツを格納する格納手段とを備えることを特徴とする。
【０００８】
上記サーバ装置において、アップロードユーザ情報が埋め込まれたコンテンツを、暗号化してダウンロード先にネットワークを介して送信する送信手段と、ダウンロード先においてアップロードユーザ情報を表示可能な状態とする復号化鍵を発行する復号鍵発行手段とをさらに備えるようにしてもよい。
【０００９】
また、本発明にかかるコンテンツの転送方法は、ネットワークを介してアップロードされたコンテンツを受信する受信ステップと、コンテンツのアップロード元に関するアップロードユーザ情報を取得するアップロードユーザ情報取得ステップと、アップロードユーザ情報をコンテンツに埋め込む埋め込みステップと、アップロードユーザ情報が埋め込まれたコンテンツを格納する格納ステップとを有することを特徴とする。
【発明の効果】
【００１０】
本発明によれば、コンテンツをアップロードするユーザの情報をコンテンツに埋め込むことにより、そのコンテンツのアップロード元を特定することが可能となる。
【発明を実施するための最良の形態】
【００１１】
以下、図面を参照して本発明の実施の形態について詳細に説明する。図１は、本実施の形態にかかるサーバシステムの構成を示す模式図である。図１に示すサーバシステム１は、コンテンツを格納するサーバ２と、このサーバ２にコンテンツをアップロードするアップロード端末３と、サーバ２からファイルをダウンロードするダウンロード端末４と、２次配布ネットワーク７を介して取得したファイルを有するダウンロード端末５とから構成される。これらの装置は、インターネットやイントラネット等の公知のネットワークからなるネットワーク６を介して接続されている。なお、図１において、ネットワーク６には、アップロード端末３と、ダウンロード端末４，５が接続されているが、ネットワーク６に接続するアップロード端末およびダウンロード端末の数量はこれに限定されず、適宜自由に設定することができる。
【００１２】
図２は、サーバ２の構成を示すブロック図である。サーバ２は、ＣＰＵ等の演算装置、メモリ、HDD等の記憶装置、ネットワーク６を介してアップロード端末３およびダウンロード端末４，５と各種情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとから構成されており、上記ハードウェア装置がプログラムによって制御されることによって、すなわちハードウェア資源とソフトウェアが協働することによって、通信制御部２１、受信部２２、ユーザ情報取得部２３、埋め込み部２４、格納部２５、復号鍵発行部２６および送信部２７の各機能部を実現する。
【００１３】
通信制御部２１は、ネットワークに接続されるＩ／Ｆ装置から構成され、例えばＴＣＰ／ＩＰ等のプロトコルに従いネットワーク６を介してアップロード端末３およびダウンロード端末４，５と各種情報の送受信を行う。
【００１４】
受信部２２は、通信制御部２１において受信した各情報の中からアップロード端末３から受信したテキスト、画像、映像、音楽等のコンテンツを抽出し、これをメモリなどの一時記憶装置に格納する機能部である。
【００１５】
ユーザ情報取得部２３は、通信制御部２１において受信した各情報の中からアップロード端末３またはダウンロード端末４，５から受信したアップロードユーザ情報またはダウンロードユーザ情報を抽出し、これをメモリなどの一時記憶装置に格納する機能部である。
【００１６】
ここで、「アップロードユーザ情報」および「ダウンロードユーザ情報」とは、それぞれコンテンツをアップロードおよびダウンロードするユーザ端末（アップロード端末３およびダウンロード端末４，５）またはユーザ固有の情報をいい、例えば、コンピュータＩＤ（ハードウェアＩＤ）、ソフトウェアＩＤ、ＩＰアドレス、リモートホスト名などの端末装置に関する情報や、ユーザの氏名、住所、電話番号、電子メールアドレス、電話番号、ＩＣカードのシリアル番号、加入プロバイダＩＤ等の個人情報などが挙げられる。
【００１７】
なお、本実施の形態においては、ダウンロード端末４，５がダウンロードまたは復号したいコンテンツに関する要求情報も「ダウンロードユーザ情報」に含まれるものとして説明する。
【００１８】
埋め込み部２４は、アップロード端末３からコンテンツとアップロードユーザ情報とを受信すると、一時記憶装置からそれらのコンテンツとアップロードユーザ情報とを読み出し、コンテンツにアップロードユーザ情報を埋め込み、このアップロードユーザ情報が埋め込まれたコンテンツを格納部２５に格納する機能部である。この埋め込み部２４により加工されたコンテンツは、アップロードユーザ情報が埋め込まれ、改変できない状態となっている。
【００１９】
格納部２５は、コンテンツを格納するＨＤＤや外部メモリなどの記憶装置から構成される。
【００２０】
復号鍵発行部２６は、一時記憶装置からダウンロードユーザ情報を読み出し、格納部２５から取得したコンテンツにダウンロードユーザ情報を埋め込んでダウンロードファイルを生成する機能部である。また、復号鍵発行部２６は、生成したダウンロードファイルを復号するための復号化鍵を生成する。なお、復号鍵発行部２６は、一時記憶装置からダウンロードユーザ情報とともに埋め込みユーザ情報を取得した場合、この埋め込みユーザ情報が埋め込まれているダウンロードファイルを復号するための復号化鍵を生成する。このような復号鍵発行部２６は、送信手段と復号鍵発行手段とを実現する。
【００２１】
ここで、ダウンロードファイルには、コンテンツと、アップロードユーザ情報と、ダウンロードユーザ情報と、リモートプログラムとが少なくとも含まれている。このうち、アップロードユーザ情報とダウンロードユーザ情報は、コンテンツに埋め込まれており、改変できない状態となっている。これらのアップロードユーザ情報とダウンロードユーザ情報は、ダウンロードファイルのダウンロード先やコピーされたダウンロードファイルを有する端末装置の画面に表示可能とするようにしてもよい。リモートプログラムとは、例えば複製されたダウンロードファイルを有しているがこのダウンロードファイルを復号するための復号化鍵を有していない端末装置において、そのダウンロードファイルに含まれるコンテンツの再生が指示されると、サーバ２に対して復号化鍵の発行を要求させるプログラムである。なお、コンテンツの再生とは、映像、画像、音楽、テキスト等のコンテンツを視聴可能とすることを意味する。また、便宜上、ダウンロードファイルに含まれるアップロードユーザ情報とダウンロードユーザ情報を、埋め込みユーザ情報という。
【００２２】
送信部２７は、復号鍵発行部２６において生成されたダウンロードファイルおよび復号化鍵を通信制御部２１によりダウンロード端末４，５に送信させる機能部である。
【００２３】
アップロード端末３およびダウンロード端末４，５は、ネットワーク６を介してサーバ２との間でファイルのダウンロードやアップロードを行うことができる公知のコンピュータから構成される。
【００２４】
［アップロード動作］
次に、サーバシステム１の動作について説明する。まず、サーバ２に対するコンテンツのアップロード動作について図３を参照して説明する。図３は、アップロード動作を示すフローチャートである。なお、以下において、アップロード端末３がサーバ２にコンテンツをアップロードする場合を例に説明する。
【００２５】
まず、ユーザ情報取得部２３は、アップロード端末３からコンテンツのアップロード要求を検出すると（ステップＳ３０１：ＹＥＳ）、アップロード端末３からアップロードユーザ情報を取得する（ステップＳ３０２）。このアップロード情報の取得において、コンピュータＩＤ、ソフトウェアＩＤ、ＩＰアドレス、リモートホスト名などのアップロード端末３自体に関する情報は、アップロード端末３がサーバ２にアクセスすることにより取得可能であり、アップロード端末３のユーザに情報の送受信を意識させずに暗黙的に取得することができる。一方、アップロード端末３のユーザの氏名、住所、電話番号、電子メールアドレス、電話番号、ＩＣカードのシリアル番号、加入プロバイダＩＤ等の個人情報などは、例えばアップロード端末３の画面に情報入力のためのダイアログを表示させ、ユーザが自ら個人情報を入力するなどによって明示的に取得することができる。ユーザ情報取得部２３は、これらの暗黙的または明示的な方法の少なくとも一方によりアップロードユーザ情報をアップロード端末３から取得する。なお、アップロード端末３の端末装置自体に関する情報は、明示的に取得するようにしてもよい。
【００２６】
アップロードユーザ情報を取得できなかった場合（ステップＳ３０３：ＮＯ）、ユーザ情報取得部２３は、アップロード端末３にアップロードを拒否する旨の通知を送信し（ステップＳ３０７）、ステップＳ３０１のアップロードの待機動作に戻る。上記通知は、アップロード端末３の画面に表示させるようにしてもよい。これにより、アップロード端末３のユーザは、アップロードが拒否された旨を容易に認識することが可能となる。
【００２７】
一方、アップロードユーザ情報を取得できた場合（ステップＳ３０３：ＹＥＳ）、ユーザ情報取得部２３は、取得したアップロードユーザ情報を一時記憶装置に格納する。また、受信部２２は、アップロード端末３からコンテンツを受信し一時記憶装置に格納する（ステップＳ３０４）。
【００２８】
次に、埋め込み部２４は、アップロードユーザ情報とコンテンツとを一時記憶装置から読み出し、コンテンツにアップロードユーザ情報を埋め込む（ステップＳ３０５）。これによりコンテンツには、アップロードユーザ情報が埋め込まれ、アップロードユーザ情報を含むコンテンツの内容が改変できない状態に加工される。このように加工されたコンテンツは、格納部２５に格納される（ステップＳ３０６）。コンテンツが格納部２５に格納されると、サーバ２は、ステップＳ３０１のアップロードの待機動作に戻る。
【００２９】
本実施の形態によれば、コンテンツには、このコンテンツをアップロードしたアップロード端末３のアップロードユーザ情報が組み込まれるため、そのコンテンツをアップロードしたユーザを特定することが可能となる。
【００３０】
［ダウンロード動作］
次に、サーバ２のファイルのダウンロード動作について図４を参照して説明する。図４は、ダウンロード動作を説明するフローチャートである。なお、以下において、ダウンロード端末４がサーバ２からコンテンツをダウンロードする場合を例に説明する。
【００３１】
まず、ユーザ情報取得部２３は、ダウンロード端末４からコンテンツのダウンロード要求を検出すると（ステップＳ４０１：ＹＥＳ）、ダウンロード端末４からダウンロードユーザ情報を取得する（ステップＳ４０２）。この取得動作は、上述した暗黙的または明示的な取得動作の少なくとも一方により行われる。
【００３２】
ダウンロードユーザ情報を取得できなかった場合（ステップＳ４０３：ＮＯ）、ユーザ情報取得部２３は、ダウンロード端末４にダウンロードを拒否する旨の通知を送信し（ステップＳ４０６）、ステップＳ４０１のダウンロードの待機動作に戻る。上記通知は、ダウンロード端末４の画面に表示させるようにしてもよい。これにより、ダウンロード端末４のユーザは、ダウンロードが拒否された旨を容易に認識することが可能となる。
【００３３】
一方、ダウンロードユーザ情報を取得できた場合（ステップＳ４０３：ＹＥＳ）、ユーザ情報取得部２３は、取得したダウンロードユーザ情報を一時記憶装置に格納する。
【００３４】
次に、復号鍵発行部２６は、ダウンロードユーザ情報を一時記憶装置から読み出し、コンテンツを格納部２５から取得し、このコンテンツにダウンロードユーザ情報を埋め込んだダウンロードファイルと、このダウンロードファイルを復号可能とする復号化鍵とを生成する（ステップＳ４０４）。
【００３５】
ここで、復号鍵発行部２６は、ダウンロードユーザ情報に含まれる要求情報に基づいて格納部２５からコンテンツを取得し、このコンテンツにダウンロードユーザ情報を埋め込んでダウンロードファイルを生成する。また、復号鍵発行部２６は、生成したダウンロードファイルに、ダウンロードファイルに含まれる各情報を改変できないよう電子署名処理などの公知の暗号化処理を施す。なお、ダウンロードファイルには、復号化鍵を有していない端末装置やコンテンツの視聴期間等のライセンスの有効期限がきれたダウンロードファイルを有する端末装置が、サーバ２に対して復号化鍵の発行を自動的に要求させるリモートプログラムも含まれる。
【００３６】
また、復号鍵発行部２６は、ダウンロード端末４のみがダウンロードファイルを復号してコンテンツを再生するための復号化鍵を、ダウンロードユーザ情報を参照して生成する。復号化鍵は、複製することができず、サーバ２からダウンロードファイルをダウンロードするダウンロード端末４でのみ利用可能とされる。このような暗号化および復号化処理は、公知のＤＲＭ技術により実現することが可能である。
【００３７】
生成されたダウンロードファイルおよび復号化鍵は、送信部２７からダウンロード端末４に送信される（ステップＳ４０５）。ダウンロードファイルおよび復号化鍵が送信されると、サーバ２は、ステップＳ４０１のダウンロードの待機動作に戻る。
【００３８】
ダウンロード端末４では、ダウンロードファイルおよび復号化鍵を受信すると、受信した復号化鍵によりダウンロードファイルを復号することにより、ダウンロードファイルに含まれるコンテンツを再生することが可能となる。
【００３９】
なお、ダウンロード端末４は、ダウンロードファイルからアップロードユーザ情報を確認できるようにしてもよい。これにより、ダウンロード端末４では、再生したコンテンツに不正行為を発見した場合、コンテンツをアップロードしたユーザ対して直接に警告することが可能となる。また、ダウンロードしたコンテンツをホームページに掲載したり記録媒体に記録して頒布するなどの正当な理由で利用したい場合、ダウンロード端末４は、そのコンテンツをアップロードしたユーザを特定でき、このユーザと交渉をスムーズに行うことが可能となる。アップロードユーザ情報の確認は、ダウンロードファイルを受信したとき、ダウンロードファイルを復号するとき、ダウンロードファイルに含まれるコンテンツを再生するとき、コンテンツのライセンスがきれたとき、ダウンロードファイルのプロパティを閲覧したときなどに、ダウンロード端末４の画面にアップロードユーザ情報を表示させることによって行うことが可能である。
【００４０】
このように本実施の形態によれば、ダウンロードファイルには、コンテンツとともに、このコンテンツをアップロードしたアップロード端末３のアップロードユーザ情報が組み込まれるため、アップロードファイルをアップロードしたユーザを特定することが可能となる。
【００４１】
［復号化鍵発行動作］
次に、サーバ２のダウンロードファイルを復号するための復号化鍵の発行動作について図５を参照して説明する。図５は、復号化鍵再発行動作を示すフローチャートである。なお、以下においては、図１に示すように、ダウンロード端末４によりダウンロードされたダウンロードファイルがコピーされ、電子メール、ファイル掲示板、記録媒体、Ｐ２Ｐファイル交換ネットワーク等の２次配布ネットワーク７を介してダウンロードファイルを取得したダウンロード端末５がダウンロードファイルを復号する場合を例に説明する。
【００４２】
ダウンロード端末５において、コピーされたダウンロードファイルに含まれるコンテンツの再生動作が行われると、ダウンロードファイルに含まれるリモートプログラムによって復号化鍵の発行要求がサーバ２に送信される。ユーザ情報取得部２３は、復号化鍵の発行要求を検出すると（ステップＳ５０１：ＹＥＳ）、ダウンロード端末５からダウンロードユーザ情報および埋め込みユーザ情報を取得する（ステップＳ５０２）。この取得動作は、上述した暗黙的または明示的な取得動作の少なくとも一方により行われる。
【００４３】
例えば、明示的にダウンロードユーザ情報を取得する場合、ユーザ情報取得部２３は、図６に示すようなダイアログをダウンロード端末５の画面に表示させるようにしてもよい。ここで、図中の符号ａに示す「ラインセンスを取得する」と記載されたアイコンがダウンロード端末５のユーザによりクリックされると、ユーザ情報取得部２３は、ダウンロード端末５のダウンロードユーザ情報を取得する。一方、図中の符号ｂに示す「キャンセル」と記載されたアイコンがクリックされると、ユーザ情報取得部２３は、ダウンロード端末５のダウンロードユーザ情報を取得しない。
【００４４】
埋め込みユーザ情報については、ユーザ情報取得部２３は、ダウンロードファイルに含まれるリモートプログラムによって、復号化鍵の発行要求動作とともにダウンロード端末５からサーバ２に自動的に送信される。
【００４５】
ダウンロードユーザ情報および埋め込みユーザ情報を取得できなかった場合（ステップＳ５０３：ＮＯ）、ユーザ情報取得部２３は、ダウンロード端末５に復号化鍵の発行を拒否する旨の通知を送信し（ステップＳ５０５）、ステップＳ５０１の復号化鍵の再発行要求の待機動作に戻る。上記通知は、ダウンロード端末５の画面に表示させるようにしてもよい。これにより、ダウンロード端末５のユーザは、復号化鍵の発行が拒否された旨を容易に認識することが可能となる。
【００４６】
一方、ダウンロードユーザ情報および埋め込みユーザ情報を取得できた場合（ステップＳ５０３：ＹＥＳ）、ユーザ情報取得部２３は、取得したダウンロードユーザ情報および埋め込みユーザ情報を一時記憶装置に格納する。
【００４７】
次に、復号鍵発行部２６は、埋め込みユーザ情報に基づいて以前に生成したダウンロードファイルを特定し、このダウンロードファイルを復号してコンテンツを再生するための復号鍵をダウンロード端末５から取得したダウンロードユーザを参照して生成し、送信部２７を介してダウンロード端末５に送信する（ステップＳ５０４）。送信される復号化鍵は、複製することができず、コピーされたダウンロードファイルを有するダウンロード端末５でのみ利用可能とされる。
【００４８】
復号化鍵が送信されると、サーバ２は、ステップＳ５０１の復号化鍵の再発行要求の待機動作に戻る。
【００４９】
ダウンロード端末５では、復号化鍵を受信すると、受信した復号化鍵により取得しているダウンロードファイルを復号することにより、そのダウンロードファイルに含まれるコンテンツを再生することが可能となる。
【００５０】
このように本実施の形態によれば、コピーされたダウンロードファイルに含まれるコンテンツの再生動作が行われると、サーバ２に埋め込みユーザ情報が送信されるため、コピーされたダウンロードファイルに含まれるコンテンツをアップロードしたユーザを特定することが可能となる。これにより、不正行為の阻止を容易に行うことが可能となる。
【００５１】
また、本実施の形態によれば、コンテンツをアップロードしたユーザのみならず、ダウンロードファイルを配布したユーザも特定することが可能となる。これにより、意図しないコンテンツの２次配布を阻止することも可能となる。
【００５２】
例えば、不正行為がなされているコンテンツをダウンロード端末５のユーザが発見した場合、このユーザがコンテンツの再生動作を行って図６に示したダイアログを表示させ、図中の符号ｃの「通報する」と記載されたアイコンをクリックすると、サーバ２は、図７に示すようなダイアログをダウンロード端末５に表示させる。このダイアログに不正行為の内容をダウンロード端末５のユーザが記入し、図中の符号ａの「管理者に送信する」と記載されたアイコンがクリックされると、サーバ２には、不正行為の内容や不正行為がなされているアップロードファイルに関する情報が送信される。これにより、サーバ２の管理者は、不正行為がなされているコンテンツを容易に特定することができる。結果として、不正行為がなされているコンテンツの削除、このコンテンツをアップロードしたユーザに対する警告、さらにはダウンロードファイルを第３者に配布したユーザに対する警告等を行うことが可能となる。
【００５３】
また、本実施の形態によれば、上述したようにコンテンツをアップロードしたユーザを特定することが可能となるので、そのコンテンツを正当な理由で利用したい場合にアップロードしたユーザとの交渉をスムーズに行うことができる。例えば、図６の符号ｄに示すアップロードユーザ情報の欄に、アップロード端末３のユーザが自分の会員ＩＤや電子メールアドレス等を掲載しておくことにより、コンテンツを利用したい第３者がアップロードユーザと容易にコンタクトをとることが可能となる。また、図６の符号ｅに示すダウンロードユーザ情報の欄に、ダウンロード端末４のユーザが自分の会員ＩＤや電子メール等を掲載しておくことにより、ソーシャルネットのようなコンテンツの紹介元を知らせる場合において、コンテンツを利用したい第３者がそのコンテンツをアップロードしたユーザと容易にコンタクトをとることが可能となる。
【００５４】
さらに、本実施の形態によれば、上述したダウンロード端末４のユーザをコンテンツの配布協力者とみなすと、復号化鍵の再配布動作の数量によって、ダウンロード端末４がコンテンツの配布にどの程度貢献したかをサーバ２の管理者は容易に認識することができる。これにより新たなアフィリティビジネスモデルを展開することが可能となる。
【００５５】
なお、ダウンロード端末５においても、ダウンロードファイルからアップロードユーザ情報を確認できるようにしてもよい。これにより、ダウンロード端末５では、再生したコンテンツに不正行為を発見した場合、コンテンツをアップロードしたユーザに対して直接に警告することが可能となる。また、ダウンロードしたコンテンツをホームページに掲載したり記録媒体に記録して頒布するなどの正当な理由で利用したい場合、ダウンロード端末５は、そのコンテンツをアップロードしたユーザを特定でき、このユーザと交渉をスムーズに行うことが可能となる。アップロードユーザ情報の確認は、ダウンロードファイルを復号するとき、ダウンロードファイルに含まれるコンテンツを再生するとき、コンテンツのライセンスがきれたとき、ダウンロードファイルのプロパティを閲覧したときなどに、ダウンロード端末５の画面にアップロードユーザ情報を表示させることによって行うことが可能である。
【図面の簡単な説明】
【００５６】
【図１】本発明のサーバシステムの構成を示す模式図である。
【図２】本発明のサーバの構成を示すブロック図である。
【図３】アップロード動作を示すフローチャートである。
【図４】ダウンロード動作を説明するフローチャートである。
【図５】復号化鍵再発行動作を示すフローチャートである。
【図６】復号化鍵の発行を要求するダイアログの模式図である。
【図７】不正行為を通報するためのダイアログの模式図である。
【符号の説明】
【００５７】
１…サーバシステム、２…サーバ、３…アップロード端末、４，５…ダウンロード端末、６…ネットワーク、７…２次配布ネットワーク、２１…通信制御部、２２…受信部、２３…ユーザ情報取得部、２４…埋め込み部、２５…格納部、２６…復号鍵発行部、２７…送信部。
【図１】
2006236250.tif 000003
【図２】
2006236250.tif 000004
【図３】
2006236250.tif 000005
【図４】
2006236250.tif 000006
【図５】
2006236250.tif 000007
【図６】
2006236250.tif 000008
【図７】
2006236250.tif 000009